【手続補正書】
【提出日】平成19年6月5日(2007.6.5)
【手続補正１】
【補正対象書類名】明細書
【補正対象項目名】特許請求の範囲
【補正方法】変更
【補正の内容】
【特許請求の範囲】
【請求項１】  太陽電池を備え、この太陽電池により発電された電力によって駆動される装置をケースに収納した電子機器において、
前記太陽電池は、セル基板と、このセル基板に複数個設けられた導電部と、該導電部を直列に接続する接続部と、前記太陽電池から電力を取り出すための出力端子と、前記導電部と各々接続し前記セル基板に形成された光発電セルを有すると共に、前記セル基板面又はセル基板近傍に透明電極膜を形成し、該透明電極膜を前記装置のアースと接続したことを特徴とする電子機器。
【請求項２】  前記透明電極膜は、前記セル基板の光発電セル形成面と反対側に形成されていることを特徴とする請求項１に記載の電子機器。
【請求項３】  前記透明電極膜は、前記セル基板の光発電セル形成面側に形成されていることを特徴とする請求項１に記載の電子機器。
【請求項４】  前記透明電極膜は、前記光発電セル形成面側の前記光発電セル上に絶縁部材を介して形成されていることを特徴とする請求項３に記載の電子機器。
【請求項５】  前記透明電極膜は、前記セル基板の側面にも形成されていることを特徴とする請求項１に記載の電子機器。
【請求項６】  前記透明電極膜は透明なフィルム状基板に形成されていて、該フィルム状基板を前記太陽電池の近傍に且つ前記太陽電池の全体を覆う面積で配置したことを特徴とする請求項１乃至請求項３のいずれか１項に記載の電子機器。
【請求項７】  前記透明電極膜は、導通部材を介してケースに電気的に導通させることでアース接続されていることを特徴とする請求項１乃至請求項６のいずれか１項に記載の電子機器。
【請求項８】  前記導通部材は導通バネであって、該導通バネは、薄板の金属部材からなり、突起状の導通部を有し、該導通部が前記ケースの内径に圧接することでアース接続されることを特徴とする請求項７に記載の電子機器。
【請求項９】  前記透明電極膜は、透明なＩＴＯの薄膜で形成されていることを特徴とする請求項１乃至請求項８のいずれか１項に記載の電子機器。
【請求項１０】  前記透明電極膜の表面抵抗値が、前記光発電セルの表面抵抗値以下であることを特徴とする請求項１乃至請求項９のいずれか１項に記載の電子機器。
【請求項１１】  前記光発電セルは、前記セル基板上に適宜の間隔で複数形成され且つ前記セル基板の周囲に設けられた前記導電部に接続される細線状の光発電セルであって、前記セル基板は透明基板よりなることを特徴とする請求項１乃至請求項１０のいずれか１項に記載の電子機器。
【手続補正２】
【補正対象書類名】明細書
【補正対象項目名】０００４
【補正方法】変更
【補正の内容】
【０００４】
この点を解決するために本出願人は特願２０００−７８９２０号で、光発電セルをきわめて細くすることによって透明性を向上させ、かつ、電子機器を作動させるのに十分な起電力を得ることのできる太陽電池を用いることによって、前記電子機器のデザイン選択の自由度を大幅に向上させ、利用者の遊び心を満足することのできる電子機器を提供できるように提案した。
【手続補正３】
【補正対象書類名】明細書
【補正対象項目名】０００７
【補正方法】変更
【補正の内容】
【０００７】
【課題を解決するための手段】
上記目的を達成するために、本発明は、太陽電池により発電された電力によって駆動される装置を有する電子機器において、前記太陽電池は、セル基板と、このセル基板に複数個設けられた導電部を直列に接続する接続部と、前記太陽電池から電力を取り出すための出力端子と、前記導電部と接続し前記セル基板上に形成された光発電セルを有すると共に、前記セル基板上又はセル基板近傍に透明電極膜を形成し、該透明電極膜を前記装置のアースと接続したことを特徴とするものであり、好ましくは、前記光発電セルは、前記セル基板上に適宜の間隔で複数形成され且つ前記セル基板の周囲に設けられた前記導電部に接続される細線状の光発電セルをであって、前記セル基板は透明基板よりなることを特徴とする。
【手続補正４】
【補正対象書類名】明細書
【補正対象項目名】０００８
【補正方法】変更
【補正の内容】
【０００８】
更に、前記透明電極膜は、前記セル基板の光発電セル形成面と反対側に形成されているものであり、また、前記透明電極膜は、前記セル基板の光発電セル形成面側に形成されていることを特徴とする。或いは前記透明電極膜は、前記光発電セル形成面側の前記セル基板面上に絶縁部材を介して形成されていることを特徴とする。
【手続補正５】
【補正対象書類名】明細書
【補正対象項目名】００１１
【補正方法】変更
【補正の内容】
【００１１】
なお、導電部１４ａ〜１４ｄ及び接続部１５は、銅やアルミ等の薄い導電膜を透明基板１２上にエッチングすることによって形成することができるが、銅箔やアルミ箔などの薄い箔を透明基板１２上に貼り付けて形成してもよい。また、銅やアルミに代えて、透明基板１２上に透明な導電材料を塗布して形成しても良い。
【手続補正６】
【補正対象書類名】明細書
【補正対象項目名】００１５
【補正方法】変更
【補正の内容】
【００１５】
導電部１４ａ、１４ｂ、１４ｃ、１４ｄのうち、一つの導電部に接続された光発電セル１８によって発電される電圧が約０．４Ｖ〜０．６Ｖであれば、四つの導電部１４ａ、１４ｂ、１４ｃ、１４ｄを直列に接続することで、電子機器を駆動させるのに十分な約１．６Ｖ〜２．４Ｖの電圧を得ることができる。
このように、光発電セル１８を接続した導電部を複数設け、これらの導電部を直列に接続することで、電子機器を動作させるのに十分な電力を得ることができる。
【手続補正７】
【補正対象書類名】明細書
【補正対象項目名】００１６
【補正方法】変更
【補正の内容】
【００１６】
光発電セル１８の他端は、その延長線上にある他方の導電部の近傍まで延びている。例えば、一端が導電部１４ｃに接続された光発電セル１８は、透明基板１２を横切り、電子機器の表示部材２２を越えて、導電部１４ｃに向かい合う他方の導電部１４ｂの手前まで伸びている。光発電セル１８の他端と他方の導電部との間のギャップｇは、可能な限り狭いものであることが好ましい。ギャップｇには光発電セル１８が形成されず、透明度の高い部分であるから、このような透明度の高いギャップｇが透明基板１２の周縁に集まることで、太陽電池１０に色ムラができやすくなるからである。
【手続補正８】
【補正対象書類名】明細書
【補正対象項目名】００２３
【補正方法】変更
【補正の内容】
【００２３】
生成する厚さは薄膜であり、塗装の場合数ミクロンメーター、蒸着の場合は、およそ１０００〜２０００オングストローム（約０．１〜０．２ミクロンメーター）である。色は無色透明であるが、その厚みにより又透過する光の波長により若干の特性が変化する。本発明で使用している範囲は無色透明で光のスペクトルによる透過率の変化がおよそ一割減少する範囲すなわち１０００〜２０００オングストローム（約０．１〜０．２ミクロンメーター）の範囲内を使用している。又、透明電極膜８０の導電性能を示す導電率は、表面抵抗値で示すと数オームから数キロオームの範囲で使用している。これは太陽電池１０の光発電セル１８の抵抗値と等価あるいはそれ以下の抵抗値が必要なためである。
【手続補正９】
【補正対象書類名】明細書
【補正対象項目名】００２９
【補正方法】変更
【補正の内容】
【００２９】
本発明の構成で、腕時計の外装ケース３０、あるいは風防ガラス３４側またはプラでできた裏蓋側から静電気が印加された場合、太陽電池１０の透明基板１２に形成された透明電極膜８０から外装ケース３０と導通している導通バネ８２を介して外装ケース３０に抜ける構成となっている。
つまり外装ケース３０や、風防ガラス３４側またはプラでできた裏蓋側から印加された静電気は、外装ケース３０に導通していない光発電セル１８の一部に気中放電により印加される前に、外装ケース３０に導通している導通バネ８２の接続部８２ａを介して透明電極膜８０に流れ、外装ケース３０へ戻ることで、静電気に対してのバイパス効果により、
太陽電池１０を静電気衝撃から守る作用となっている。
【手続補正１０】
【補正対象書類名】明細書
【補正対象項目名】００３３
【補正方法】変更
【補正の内容】
【００３３】
本発明の実施の形態では、光発電セル１８を細線状に構成した透明性の高い太陽電池１０に透明電極膜８０を構成した、としたが、一般に使用されている透明性の無いフィルムベースのソーラーセルやガラス基板の全面に構成されたソーラーセルも、シリコンの薄膜により光発電セルが構成されている例がほとんどであり、当然、人体に帯電する静電気等の印加による電気的衝撃により、その面積によりレベルの差があるが、ピンホール等の発生の危険がある。その静電気から太陽電池を守るため、バイパスとしての導電部材が必要であり、その導電部材に代わって、透明電極膜８０を光発電セルの入光側に構成する事が可能であり、その分デザイン性の広がりを保持する事ができる。
【手続補正１１】
【補正対象書類名】明細書
【補正対象項目名】００３５
【補正方法】変更
【補正の内容】
【００３５】
また、時計の径方向に広がり、かつ、垂直方向に貫通する空間を形成するとともに、時計の裏蓋にも透明なガラスを用いることで、上側から下側までを見通すことのできる斬新なデザインの時計を得ることができ、利用者の遊び心を満足させることが出来るようになり、光発電セルの表面、或いは近傍に透明電極膜を構成し、外装ケースと導通させることにより、人体に発生する静電気等の外的環境から前記電子機器を守る、耐力のある電子機器を提供することができるようになる。
【手続補正１２】
【補正対象書類名】明細書
【補正対象項目名】符号の説明
【補正方法】変更
【補正の内容】
【符号の説明】
１０            太陽電池
１２            透明基板
１４ａ〜１４ｄ  導電部
１５            接続部
１６ａ，１６ｂ  出力端子
１８            光発電セル
２０            腕時計
２２            表示部材
２８            秒針
３０            外装ケース
３４            風防ガラス
３６            太陽電池保持部材
４２            ムーブメント
６０            接続部材
８０            透明電極膜
８１            保護コート
８２            導通バネ
８２ａ          接続部